(57)【要約】【課題】  従来の超音波診断装置では、プローブの音響レンズの端部が被検査体の表面と接触しない部分があると、表示した画像に大きなノイズが混入するという問題がある。【解決手段】  プローブの圧電体振動子から入力された反射波の受信信号を出力する受信信号出力回路５に積分回路６が接続され、この積分回路６はゲート制御信号が入力されるゲート信号発生回路７に接続され、又、積分回路６は比較回路８に接続され、比較回路８に閾値定数出力回路９が接続され、さらに、受信信号出力回路５にゲート１０が接続され、ゲート１０に表示装置１１が接続され、又、ゲート１０に比較回路８の出力端子が接続されている。【選択図】図１
2007111296.tif 000002
【特許請求の範囲】
【請求項１】
複数の圧電体振動子を等間隔に並べて発振器から順次発振出力を印加して、超音波を出力し、それらの超音波の反射信号の電気信号に変換して出力するプローブと、該プローブのそれぞれの圧電体振動子からの反射信号をゲート信号発生回路からのゲート信号時間だけ積分する積分回路と、予め決められた閾値定数を発生する閾値定数発生回路と、該閾値定数発生回路からの閾値定数と前記積分回路で積分された積分信号を比較する比較回路と、前記積分回路で積分された信号が前記閾値定数より大きい時に、その反射信号を遮断するゲートと、該ゲートを通過した前記プローブのそれぞれの圧電体振動子からの反射信号を順次受信して表示する表示装置とからなり、前記プローブの前記圧電体振動子が被検査体に正常に接触している状態の圧電体振動子からの信号のみを表示することを特徴とする超音波診断装置。
【発明の詳細な説明】
【技術分野】
【０００１】
本発明は、正常に被検査体に接触しているプローブの圧電体振動子からの信号のみを表示して画質を向上させる超音波診断装置に関するものである。
【背景技術】
【０００２】
一般に、超音波診断装置では、図２に示すように、被検査体１の表面１ａに複数の圧電体振動子を等間隔に並べて装着したプローブ２の音響レンズ３をゲル４を介して接触させて、プローブ２のそれぞれの圧電体振動子から超音波を照射し、その反射波を受信して、表示装置で表示するようにしている。
【０００３】
しかしながら、図２に示すように、プローブ２の音響レンズ３の端部が被検査体１の表面１ａと接触しない部分３ａがあると、この部分３ａでは、音空気等の強力な反射が生じるが、従来は、プローブ２の全ての圧電体振動子からの受信信号を元に整相加算を行っているため、表示した画像に大きなノイズが混入するという問題がある。
【特許文献１】特開２０００−８３０５３
【発明の開示】
【発明が解決しようとする課題】
【０００４】
解決しようとする問題点は、従来の超音波診断装置では、プローブの音響レンズの端部が被検査体の表面と接触しない部分があると、表示した画像に大きなノイズが混入するという問題がある。
【課題を解決するための手段】
【０００５】
本発明では、プローブは複数の圧電体振動子を等間隔に並べて発振器から順次発振出力を印加して、超音波を出力し、それらの超音波の反射信号の電気信号に変換して出力し、積分回路はプローブのそれぞれの圧電体振動子からの反射信号をゲート信号発生回路からのゲート信号時間だけ積分し、閾値定数発生回路は予め決められた閾値定数を発生し、比較回路は閾値定数発生回路からの閾値定数と前記積分回路で積分された積分信号を比較し、ゲートは積分回路で積分された信号が前記閾値定数より大きい時に、その反射信号を遮断し、表示装置はゲートを通過したプローブのそれぞれの圧電体振動子からの反射信号を順次受信して表示し、プローブの圧電体振動子が被検査体に正常に接触している状態の圧電体振動子からの信号のみを表示するものである。
【発明の効果】
【０００６】
本発明の超音波診断装置では、プローブの一部が接触していない状態の場合でも、接触していない部分の圧電体振動子から入力された反射信号を遮断することができるので、表示装置に表示された画像に大きなノイズが混入しないという利点がある。
【発明を実施するための最良の形態】
【０００７】
本発明では、プローブの一部が接触していない状態の場合でも、接触していない部分の圧電体振動子から入力された反射信号が予め決められた閾値より大きい信号を遮断することにより、表示装置に表示された画像に大きなノイズが混入しないようにすることができた。
【実施例】
【０００８】
図１は本発明の実施例の超音波診断装置のブロック図で、プローブの圧電体振動子から入力された反射波の受信信号を出力する受信信号出力回路５に積分回路６が接続され、この積分回路６はゲート制御信号が入力されるゲート信号発生回路７に接続され、又、積分回路６は比較回路８に接続され、比較回路８に閾値定数出力回路９が接続され、さらに、受信信号出力回路５にゲート１０が接続され、ゲート１０に表示装置１１が接続され、又、ゲート１０に比較回路８の出力端子が接続されている。
【０００９】
このように構成された本実施例の超音波診断装置では、図２に示すように、被検査体１の表面１ａと接触しいるプローブ２の圧電体振動子から反射波信号が入力されると、被検査体１の表面１ａと接触しているプローブ２の圧電体振動子では、受信信号出力回路か５らノイズが混入しない反射波信号が入力されるので、受信信号出力回路５からの反射波信号は積分回路６でゲート信号発生回路７から入力されたゲート制御信号の間だけ積分され、この積分された信号は比較回路８に入力され、閾値定数出力回路９からの閾値定数と比較されるが、閾値定数より小さいので、比較回路８から比較信号は出力されない。
【００１０】
ここで、受信信号出力回路５から大きなノイズ信号が混入された反射波信号が積分回路６に入力されると、ゲート信号発生回路７から入力されたゲート制御信号の間だけノイズ信号が混入された反射波信号が積分され、この積分された反射波信号は比較回路８に入力されて閾値定数出力回路９からの閾値定数と比較されると、ノイズ信号が混入された反射波信号は閾値定数より大きい信号になるので、比較回路８から比較信号が出力され、ゲート１０を遮断し、表示装置１１には、ノイズ信号が混入された反射波信号は入力されない。
【００１１】
本実施例は、このように、大きなノイズ信号が混入された反射波信号は積分回路６でゲート信号の間だけ積分することにより、閾値定数出力回路９からの閾値定数より大きくなり、この積分された反射波信号が比較回路８に入力されると、閾値定数より大きいため、比較回路８から信号が出力され、ゲート１０を遮断して、表示装置１１にノイズが混入した反射波信号は表示されないという利点がある。
【産業上の利用可能性】
【００１２】
なお、上記実施例において、比較回路８で反射波信号が閾値定数より大きい時にゲート１０の遮断信号を出力したが、ゲート１０を常に遮断状態にし、反射波信号が閾値定数より小さい時に、比較回路８よりゲート１０をオン状態にするオン信号を出力すれば、初期状態の時に、表示装置１１にノイズが混入した反射波信号は表示されない。
【図面の簡単な説明】
【００１３】
【図１】図１は本発明の実施例の超音波診断装置のブロック図である。
【図２】図２は被検査体とプローブの状態を示した図である。
【符号の説明】
【００１４】
５                受信信号出力回路
６                積分回路
７                ゲート信号発生回路
８                比較回路
９                閾値定数出力回路
１０              ゲート
１１              表示装置
【図１】
2007111296.tif 000003
【図２】
2007111296.tif 000004